(57)【要約】【課題】信頼性が高く、優れた表示特性を発揮することのできる表示シート、それを備えた表示装置および信頼性が高い電子機器を提供すること。【解決手段】表示装置２０は、対向配置された基板１２および対向基板１１と、白色粒子Ａおよび負に帯電する黒色粒子Ｂを分散媒７に分散してなる分散液１００が充填された表示層４００とを有している。また、白色粒子Ａの内部には、その外周面に開放し、黒色粒子Ｂが移動可能な空間Ａ１が形成されている。このような白色粒子Ａは、表示層４００中での占有率が５０％以上、８０％以下となるように表示層４００中に複数配置されており、表示層４００に作用する電界によって、黒色粒子Ｂが白色粒子Ａの空間Ａ１内または複数の白色粒子Ａ間の隙間を通って泳動する。【選択図】図１
2012226012.tif 000002
【特許請求の範囲】
【請求項１】
第１の基板と、
前記第１の基板に対して対向配置された第２の基板と、
前記第１の基板と前記第２の基板との間に設けられ、第１の粒子と、前記第１の粒子と異なる色相を有し正または負に帯電する第２の粒子とを分散媒に分散してなる分散液が充填された表示層とを有し、
前記第１の粒子は、前記第１の粒子の外周面に開放し前記第２の粒子が移動可能な空間を内部に有し、
前記表示層中には、前記第１の粒子の前記表示層中での占有率が５０％以上、８０％以下となるように前記第１の粒子が複数充填されており、
前記表示層に作用する電界によって、前記第２の粒子が前記第１の粒子の前記空間内を通って泳動するよう構成されていることを特徴とする表示シート。
【請求項２】
前記第２の粒子は、前記第１の粒子の前記空間内に保持されることにより、自重による移動が規制される請求項１に記載の表示シート。
【請求項３】
前記第１の粒子は、多孔質体で構成されている請求項１または２に記載の表示シート。
【請求項４】
前記第１の粒子の平均粒径は、前記第２の粒子の平均粒径の５倍以上、１００倍以下である請求項１ないし３のいずれかに記載の表示シート。
【請求項５】
前記第１の粒子に対する前記空間の占有率は、５０％以上、９０％以下である請求項１ないし４のいずれかに記載の表示シート。
【請求項６】
前記第１の粒子は、無帯電である請求項１ないし５のいずれかに記載の表示シート。
【請求項７】
前記第１の粒子は、白色を呈している請求項１ないし６のいずれかに記載の表示シート。
【請求項８】
前記分散液には、さらに、前記第１の粒子および前記第２の粒子と異なる色相を呈し、前記第２の粒子と反対の極に帯電する複数の第３の粒子が分散している請求項１ないし７のいずれかに記載の表示シート。
【請求項９】
請求項１ないし８のいずれかに記載の表示シートを備えることを特徴とする表示装置。
【請求項１０】
請求項９に記載の表示装置を備えることを特徴とする電子機器。
【発明の詳細な説明】
【技術分野】
【０００１】
本発明は、表示シート、表示装置および電子機器に関するものである。
【背景技術】
【０００２】
例えば、電子ペーパーの画像表示部を構成するものとして、粒子の電気泳動を利用した電気泳動ディスプレイが知られている（例えば、特許文献１参照）。電気泳動ディスプレイは、優れた可搬性および省電力性を有しており、電子ペーパーの画像表示部として特に適している。
電気泳動ディスプレイは、対向配置された一対の電極と、これらの間に設けられた表示層とを有しており、表示層には、例えば正に帯電する白色粒子と、負に帯電する黒色粒子とを液相分散媒に分散してなる分散液が充填されている。このような電気泳動ディスプレイは、一対の電極間に電圧を印加し、白色粒子および黒色粒子を所望の方向へ泳動させることにより所望の画像を表示するように構成されている。
【０００３】
ここで、表示層の構成は、大きく分けて、特許文献１のように隔壁によって表示層を複数のセルに分割し、各セルに分散液を充填する「隔壁型」と、特許文献２のように分散液が封入されたマイクロカプセルを複数配置しバインダによって固定する「マイクロカプセル型」と、特許文献３のように表示層を１つの空間として（すなわち、隔壁等により分割せず）その空間内に分散液を充填する「液晶型」とに分類される。
【０００４】
しかしながら、「隔壁型」では、隔壁によって表示面内の有効表示領域（表示色を変更することができる領域）が減少し、表示特性が低下する問題がある。また、「マイクロカプセル型」では、隣り合うマイクロカプセル間に隙間が生じることにより表示面内の有効表示領域が減少し表示特性が低下したり、一対の電極間に電圧を印加する際にバインダによってリーク電流が発生したりすることで表示特性が低下する問題がある。また、「液晶型」では、表示面内のほぼ全域を有効表示領域として利用できるが、例えば、ディスプレイを本のように立てた場合に、白色粒子および黒色粒子が自重によって鉛直方向下側に移動（沈降）し、粒子の偏りが発生するため、均質でムラのない画像を表示することができない。
以上より、従来の電気泳動ディスプレイでは、どの形式においても優れた表示特性を発揮することができず、また、信頼性に乏しいという問題がある。
【先行技術文献】
【特許文献】
【０００５】
【特許文献１】特開２０１０−４４１１４号公報
【特許文献２】特開２００３−１４０２０２号公報
【特許文献３】特表平８−５１０７９０号公報
【発明の概要】
【発明が解決しようとする課題】
【０００６】
本発明の目的は、信頼性が高く、優れた表示特性を発揮することのできる表示シート、それを備えた表示装置および信頼性が高い電子機器を提供することにある。
【課題を解決するための手段】
【０００７】
このような目的は、下記の本発明により達成される。
本発明の表示シートは、第１の基板と、
前記第１の基板に対して対向配置された第２の基板と、
前記第１の基板と前記第２の基板との間に設けられ、第１の粒子と、前記第１の粒子と異なる色相を有し正または負に帯電する第２の粒子とを分散媒に分散してなる分散液が充填された表示層とを有し、
前記第１の粒子は、前記第１の粒子の外周面に開放し前記第２の粒子が移動可能な空間を内部に有し、
前記表示層中には、前記第１の粒子の前記表示層中での占有率が５０％以上、８０％以下となるように前記第１の粒子が複数充填されており、
前記表示層に作用する電界によって、前記第２の粒子が前記第１の粒子の前記空間内を通って泳動するよう構成されていることを特徴とする。
これにより、第２の粒子の自重による沈降を防止または抑制することができる。そのため、表示シートの姿勢によらずに、具体的には表示シートを立てた場合でも、表示層の平面視にて、表示層中に第２の粒子が均一に分散した状態を維持することができる。そのため、各画素間で表示特性（表示色の反射率）を均一に保つことができ、優れた信頼性を発揮することができるとともに、優れた表示特性を発揮することができる表示シートを提供することができる。
【０００８】
本発明の表示シートでは、前記第２の粒子は、前記第１の粒子の前記空間内に保持されることにより、自重による移動が規制されることが好ましい。
これにより、第２の粒子の自重による沈降を防止または抑制することができる。
本発明の表示シートでは、前記第１の粒子は、多孔質体で構成されていることが好ましい。
これにより、第１の粒子の構成が簡単となる。
【０００９】
本発明の表示シートでは、前記第１の粒子の平均粒径は、前記第２の粒子の平均粒径の５倍以上、１００倍以下であることが好ましい。
これにより、空間の大きさが第２の粒子に対して充分に大きくなり、第２の粒子が空間内を円滑に移動することができる。また、空間内により多くの第２の粒子を収容することができ、第２の粒子の保持性をより高めることができる。
【００１０】
本発明の表示シートでは、前記第１の粒子に対する前記空間の占有率は、５０％以上、９０％以下であることが好ましい。
これにより、空間内により多くの第２の粒子が侵入し、空間内を移動できるため、電圧印加時の第２の粒子の移動をより円滑に行うことができる。そのため、優れた応答速度を発揮することができる。また、空間内により多くの第２の粒子を収容することができるため、第２の粒子の沈降をより効果的に防止することができる。
【００１１】
本発明の表示シートでは、前記第１の粒子は、無帯電であることが好ましい。
これにより、第２の粒子との間で電気的な作用（反発または吸着）が働かない。そのため、第２の粒子を表示層中にて円滑に移動させることができ、優れた表示特性、特に優れた応答速度を発揮することができる。
本発明の表示シートでは、前記第１の粒子は、白色を呈していることが好ましい。
これにより、より反射率の高い白色を表示することができる。
【００１２】
本発明の表示シートでは、前記分散液には、さらに、前記第１の粒子および前記第２の粒子と異なる色相を呈し、前記第２の粒子と反対の極に帯電する複数の第３の粒子が分散していることが好ましい。
これにより、より多くの色を表示することができる。
本発明の表示装置は、本発明の表示シートを備えることを特徴とする。
これにより、信頼性の高い表示装置が得られる。
本発明の電子機器は、本発明の表示装置を備えることを特徴とする。
これにより、信頼性の高い電子機器が得られる。
【図面の簡単な説明】
【００１３】
【図１】本発明の表示装置の第１実施形態を示す断面図である。
【図２】図１に示す表示装置が有する白色粒子の拡大断面図である。
【図３】図１に示す表示装置の駆動を説明する断面図である。
【図４】本発明の表示装置の第２実施形態を示す断面図である。
【図５】図４に示す表示装置の駆動を説明する断面図である。
【図６】本発明の表示装置の第３実施形態を示す概略斜視図である。
【図７】図６に示す表示シートの断面図である。
【図８】本発明の電子機器を電子ペーパーに適用した場合の実施形態を示す斜視図である。
【図９】本発明の電子機器をディスプレイに適用した場合の実施形態を示す図である。
【図１０】実施例の測定方法を説明するための平面図である。
【発明を実施するための形態】
【００１４】
以下、本発明の表示シート、表示装置および電子機器を添付図面に示す好適な実施形態に基づいて詳細に説明する。
１．表示装置
まず、本発明の表示シートを組み込んだ表示装置について説明する。
＜第１実施形態＞
図１は、本発明の表示装置の第１実施形態を示す断面図、図２は、図１に示す表示装置が有する白色粒子の拡大断面図、図３は、図１に示す表示装置の駆動を説明する断面図である。なお、以下では、説明の都合上、図１および図３中の上側を「上」、下側を「下」として説明を行う。
【００１５】
図１に示す表示装置（本発明の表示装置）２０は、粒子の泳動を利用して所望の画像を表示する電気泳動表示装置である。この表示装置２０は、表示シート（フロントプレーン）２１と、回路基板（バックプレーン）２２とを有している。
図１に示すように、表示シート２１は、平板状の基部２と基部２の下面に設けられた第２の電極４とを備える基板（第１の基板）１２と、基板１２上に設けられ、分散液１００が充填された表示層４００とを有している。このような表示シート２１では、基板１２の上面が表示面１２１を構成している。なお、以下では、表示面１２１とは、表示装置２０の平面視にて、基板１２の上面の表示層４００と重なる領域を言い、それ以外の領域（例えば後述する封止部９と重なる領域）は除くものとする。
【００１６】
一方、回路基板２２は、平板状の基部１と基部１の上面に設けられた複数の第１の電極３とを備える対向基板（第２の基板）１１と、この対向基板１１に設けられた図示しない回路とを有している。回路は、例えば、マトリックス状に配列されたＴＦＴ（スイッチング素子）と、ＴＦＴに対応して形成されたゲート線およびデータ線と、ゲート線に所望の電圧を印加するゲートドライバーと、データ線に所望の電圧を印加するデータドライバーと、ゲートドライバーとデータドライバーの駆動を制御する制御部とを有している。
このような表示装置２０では、対向基板１１が表示シート２１の第２の基板を兼ねている。
【００１７】
以下、各部の構成について順次説明する。
基部１および基部２は、それぞれ、シート状（平板状）の部材で構成され、これらの間に配置される各部材を支持および保護する機能を有する。各基部１、２は、それぞれ、可撓性を有するもの硬質なもののいずれであってもよいが、可撓性を有するものであるのが好ましい。可撓性を有する基部１、２を用いることにより、可撓性を有する表示装置２０、すなわち、例えば電子ペーパーを構築する上で有用な表示装置２０を得ることができる。
【００１８】
基部１、２を可撓性を有するものとする場合、その構成材料としては、それぞれ、例えば、ＰＥＴ（ポリエチレンテレフタレート）、ＰＥＮ（ポリエチレンナフタレート）等のポリエステル、ポリエチレン等のポリオレフィン、変性ポリオレフィン、ポリアミド、熱可塑性ポリイミド、ポリエーテル、ポリエーテルエーテルケトン、ポリウレタン系、塩素化ポリエチレン系等の各種熱可塑性エラストマー等、またはこれらを主とする共重合体、ブレンド体、ポリマーアロイ等が挙げられ、これらのうちの１種または２種以上を混合して用いることができる。
【００１９】
このような基部１、２の平均厚さは、それぞれ、構成材料、用途等により適宜設定され、特に限定されないが、可撓性を有するものとする場合、２０μｍ以上５００μｍ以下程度であるのが好ましく、２５μｍ以上２５０μｍ以下程度であるのがより好ましい。これにより、表示装置２０の柔軟性と強度との調和を図りつつ、表示装置２０の小型化（特に薄型化）を図ることができる。
【００２０】
これらの基部１、２の表示層４００側の面、すなわち、基部１の上面および基部２の下面に、それぞれ、層状（膜状）をなす第１の電極３および第２の電極４が設けられている。本実施形態では、第２の電極４が共通電極とされ、第１の電極３がマトリックス状（行列状）に分割された個別電極（ＴＦＴに接続された画素電極）とされている。このような表示装置２０では、１つの第１の電極３と第２の電極４とが重なる領域が１画素を構成する。
【００２１】
電極３、４の構成材料としては、それぞれ、実質的に導電性を有するものであれば特に限定されず、例えば、金、銀、銅、アルミニウムまたはこれらを含む合金等の金属材料、カーボンブラック等の炭素系材料、ポリアセチレン、ポリフルオレンまたはこれらの誘導体等の電子導電性高分子材料、ポリビニルアルコール、ポリカーボネート等のマトリックス樹脂中に、ＮａＣｌ、Ｃｕ（ＣＦ３ＳＯ３）２等のイオン性物質を分散させたイオン導電性高分子材料、インジウム酸化物（ＩＯ）、インジウムスズ酸化物（ＩＴＯ）、フッ素ドープ酸化スズ（ＦＴＯ）等の導電性酸化物材料のような各種導電性材料が挙げられ、これらのうちの１種または２種以上を組み合わせて用いることができる。
また、電極３、４の平均厚さは、それぞれ、構成材料、用途等により適宜設定され、特に限定されないが、０．０１μｍ以上、１０μｍ以下程度であるのが好ましく、０．０２μｍ以上、５μｍ以下程度であるのがより好ましい。
【００２２】
ここで、各基部１、２および各電極３、４のうち、表示面１２１側に配置される基部および電極は、それぞれ、光透過性を有するもの、すなわち、実質的に透明（無色透明、有色透明または半透明）とされる。本実施形態では、基板１２の上面が表示面１２１を構成するため、少なくとも基部２および第２の電極４は、実質的に透明とされる。これにより、表示装置２０に表示された情報（画像）を表示面１２１側から目視により容易に認識することができる。
【００２３】
基板１２と対向基板１１との間には、それらの縁部に沿って封止部９が設けられている。この封止部９により、表示層４００が気密的に封止されている。これにより、表示装置２０内への水分の浸入を防止して、表示装置２０の表示性能の劣化をより確実に防止することができる。
封止部９の構成材料としては、特に限定されず、例えば、アクリル系樹脂、ウレタン系樹脂、オレフィン系樹脂のような熱可塑性樹脂、エポキシ系樹脂、メラミン系樹脂、フェノール系樹脂のような熱硬化性樹脂等の各種樹脂材料等が挙げられ、これらのうちの１種または２種以上を組み合わせて用いることができる。
【００２４】
表示層４００は、分散液１００で満たされている。分散液１００は、無帯電すなわち実質的に帯電していない複数の第１の粒子Ａと、正または負に帯電した複数の第２の粒子Ｂとを分散媒７に分散させたものである。
第１の粒子Ａおよび第２の粒子Ｂの色相は、互いに異なっていれば特に限定されず、有彩色、無彩色、金属色等の中から目的に合わせて自由に選択すればよい。なお、以下では、第１の粒子Ａを白色、第２の粒子Ｂを黒色とし、白黒の画像を表示することができる構成について代表して説明する。また、以下では、説明の便宜上、第１の粒子Ａを「白色粒子Ａ」と言い、第２の粒子Ｂを「黒色粒子Ｂ」と言う。
【００２５】
分散媒７としては、比較的高い絶縁性を有するものが好適に使用される。かかる分散媒７としては、例えば、各種水（例えば、蒸留水、純水等）、メタノール等のアルコール類、メチルセロソルブ等のセロソルブ類、酢酸メチル等のエステル類、アセトン等のケトン類、ペンタン等の脂肪族炭化水素類（流動パラフィン）、シクロヘキサン等の脂環式炭化水素類、ベンゼン等の芳香族炭化水素類、塩化メチレン等のハロゲン化炭化水素類、ピリジン等の芳香族複素環類、アセトニトリル等のニトリル類、Ｎ，Ｎ−ジメチルホルムアミド等のアミド類、カルボン酸塩、シリコーンオイルまたはその他の各種油類等が挙げられ、これらを単独または混合物として用いることができる。
【００２６】
中でも、分散媒７としては、脂肪族炭化水素類（流動パラフィン）、またはシリコーンオイルを主成分とするものが好ましい。流動パラフィン、またはシリコーンオイルを主成分とする分散媒７は、白色粒子Ａおよび黒色粒子Ｂの凝集抑制効果が高いことから好ましい。これにより、表示装置２０の表示性能が経時的に劣化するのをより確実に防止または抑制することができる。また、流動パラフィン、またはシリコーンオイルは、不飽和結合を有しないため耐候性に優れ、および安全性も高いという点からも好ましい。
【００２７】
また、分散媒７中には、必要に応じて、例えば電解質、アルケニルコハク酸エステルのような界面活性剤（アニオン性またはカチオン性）、金属石鹸、樹脂材料、ゴム材料、油類、ワニス、コンパウンド等の粒子からなる荷電制御剤、シラン系カップリング剤等の分散剤、潤滑剤、安定化剤等の各種添加剤を添加するようにしてもよい。また、分散媒７を着色する場合には、分散媒７に必要に応じてアントラキノン系染料、アゾ系染料、インジゴイド系染料等の各種染料を溶解するようにしてもよい。
【００２８】
次いで、白色粒子Ａおよび黒色粒子Ｂについて詳細に説明する。
（黒色粒子Ｂ）
黒色粒子Ｂは、荷電を有し、電界が作用することにより分散媒７中を電気泳動し得る粒子である。黒色粒子Ｂは、荷電を有するものであればいかなるものをも用いることができ、特に限定はされないが、顔料粒子、樹脂粒子またはこれらの複合粒子のうちの少なくとも１種が好適に使用される。これらの粒子は、製造が容易であるとともに、荷電の制御を比較的容易に行うことができるという利点を有している。
【００２９】
顔料粒子を構成する顔料としては、例えば、アニリンブラック、カーボンブラック、チタンブラック、亜クロム酸銅等の黒色顔料、酸化チタン、酸化アンチモン等の白色顔料、モノアゾ等のアゾ系顔料、イソインドリノン、黄鉛等の黄色顔料、キナクリドンレッド、クロムバーミリオン等の赤色顔料、フタロシアニンブルー、インダスレンブルー等の青色顔料、フタロシアニングリーン等の緑色顔料等が挙げられ、これらのうち１種または２種以上を組み合わせて用いることができる。
【００３０】
また、樹脂粒子を構成する樹脂材料としては、例えば、アクリル系樹脂、ウレタン系樹脂、尿素系樹脂、エポキシ系樹脂、ポリスチレン、ポリエステル等が挙げられ、これらのうちの１種または２種以上を組み合わせて用いることができる。
また、複合粒子としては、例えば、顔料粒子の表面を樹脂材料や他の顔料で被覆したもの、樹脂粒子の表面を顔料で被覆したもの、顔料と樹脂材料とを適当な組成比で混合した混合物で構成される粒子等が挙げられる。
特に、黒色粒子Ｂとして、カーボンブラック粒子またはその表面を被覆した粒子を好適に用いることができる。
【００３１】
また、黒色粒子Ｂの形状は、それぞれ、特に限定されないが、球形状であるのが好ましい。また、黒色粒子Ｂの平均粒子径は、それぞれ、特に限定されないが、好ましくは１０ｎｍ以上５００ｎｍ以下、より好ましくは２０ｎｍ以上３００ｎｍ以下である。黒色粒子Ｂの平均粒子径が１０ｎｍ未満であると充分な色度が得られず、コントラストが低下して表示が不鮮明になることがある。逆に、黒色粒子Ｂの平均粒子径が３００ｎｍを超えると粒子自体の着色度を必要以上に高くする必要があり、顔料などの使用量が増大することや、表示のために電圧を印加した部分で粒子の速やかな移動が困難となり、その応答速度が低下することがある。
なお、黒色粒子Ｂの平均粒子径は、動的光散乱式粒度分布測定装置（例えば、製品名：ＬＢ−５００、（株）堀場製作所製）で測定した体積平均粒子径を意味する。後述する白色粒子Ａについても同様である。
【００３２】
（白色粒子Ａ）
白色粒子Ａは、表示面１２１に白色を表示するための粒子であるとともに、黒色粒子Ｂの自重による沈降を防止または抑制する機能を有する。このような白色粒子Ａを用いることにより、表示面１２１のほぼ全域を有効表示領域をして用いることができ、高い表示コントラストを発揮することができるとともに、黒色粒子Ｂの自重による沈降を防止または抑制することができ、表示面１２１にムラのない鮮明な画像を表示することができる。また、表示した画像を電界の作用を停止した後も長時間維持することができる。
これにより、優れた信頼性および優れた表示特性を発揮することができる表示装置２０が得られる。
【００３３】
ここで、白色粒子Ａが封入されている表示層４００の厚さは、特に限定されないが、白色粒子Ａの平均粒径の２倍以上、５０倍以下であるのが好ましい。具体的には、表示層４００の厚さは、２０〜８０μｍ程度であるのが好ましい。
表示層４００の厚さを上記数値範囲とすることにより、表示層４００の厚さ方向に複数の白色粒子Ａを重ねて配置することができる。そのため、表示面１２１側から表示層４００を視認した際、表示面１２１のほぼ全域に白色粒子Ａを位置させることができ、例えば、隣り合う、若しくは重なり合う白色粒子Ａの隙間から基部２側が透けて視認されるのを防止することができる。そのため、表示装置２０は、表示面１２１の全域にてムラのない高い反射率を有する白色を表示することができ、優れた表示特性を発揮することができる。また、表示層４００の厚みを薄く保つことができるため、表示画像を切り替えるための黒色粒子Ｂの移動距離を短く抑えることができ、優れた応答速度を維持することができる。
【００３４】
白色粒子Ａは、無帯電、すなわち実質的に帯電していない。これにより、黒色粒子Ｂとの間で電気的な作用（反発または吸着）が働かない。そのため、黒色粒子Ｂを分散媒７中にて円滑に移動させることができ、優れた表示特性、特に優れた応答速度を発揮することができる。
図１に示すように、白色粒子Ａは、比較的高い密度で表示層４００中に充填され、表示層４００内での移動が規制されている。具体的には、白色粒子Ａは、表示層４００中の占有率が５０％以上、８０％以下となる密度で表示層４００中に充填されている。これにより、白色粒子Ａは、基部１、基部２および他の白色粒子Ａの少なくとも１つと接触することにより、その移動が規制される。
【００３５】
なお、前記占有率は、５０％以上、８０％以下であればよいが、６０％以上、７０％以下であるのがより好ましい。
これにより、表示層４００中にて白色粒子Ａの移動が効果的に規制（制限）され、表示装置２０の姿勢に関係なく、表示層４００の全域に白色粒子Ａが均一に配置されている状態を維持できる。そのため、表示面１２１の全域でムラのない高い反射率の白色を表示することができる。また、表示層４００の全域にて、黒色粒子Ｂの沈降を防止または抑制することができる。
【００３６】
前記占有率が上記下限値未満であると、白色粒子Ａ自体が表示層４００中で沈降し易くなり、白色粒子の偏りが生じるととともに、黒色粒子の保持性が低下する。そのため、表示面にムラのない鮮明な画像を表示することができない。反対に、前記占有率が前記上限値を超えると、表示層４００中の黒色粒子のためのスペースが狭くなり、黒色粒子の移動が必要以上に規制されたり、黒色粒子Ｂの数を減らさなければならなかったりし、表示特性が悪化する。
【００３７】
別の観点から、表示層４００中に白色粒子Ａを最密に充填したときの表示層４００中の白色粒子Ａの占有率をＡ［％］としたとき、白色粒子Ａは、表示層４００中に０．７Ａ以上、０．９Ａ以下となるように充填されるのが好ましく、０．８Ａ程度となるように充填されるのがさらに好ましい。これにより、前述したような白色粒子の表示層４００中での移動を効果的に規制することができるとともに、表示層４００内への白色粒子Ａの詰め込み過ぎを防止できる。そのため、例えば、表示装置２０を湾曲させた場合、その変形に追従して白色粒子Ａが多少移動する（複数の白色粒子がズレ合う）スペースが生まれ、これにより応力集中を防止でき、優れた機械的強度を発揮することのできる表示装置２０となる。
【００３８】
このような白色粒子Ａはその内部に、外周面に開放する空間Ａ１を有しており、この空間Ａ１内を黒色粒子Ｂが移動可能となっている。すなわち、黒色粒子Ｂは、複数の白色粒子Ａの空間Ａ１を連続して通過することにより、基部１（第１の電極３）側または基部２（第２の電極４）側に移動する。
また、白色粒子Ａは、空間Ａ１内に黒色粒子Ｂを収容することにより黒色粒子Ｂを保持し、これにより、黒色粒子Ｂの沈降を防止または抑制する。具体的には、白色粒子Ａの内壁面（空間Ａ１を形成する面）に黒色粒子Ｂが当接することにより、黒色粒子Ｂの沈降が防止または抑制される。
【００３９】
図２に示すように、本実施形態の白色粒子Ａは、微細な空孔を多数有し、これら空孔が規則的または不規則に連通した多孔質体である。各空孔は、黒色粒子Ｂが充分に通過できる大きさを有しており、多数の空孔が連結してなる空間が空間Ａ１を形成している。このように、白色粒子Ａを多孔質体で構成することで、白色粒子Ａの構成が簡単となる。また、白色粒子Ａを多孔質体で構成することで、空間Ａ１が複雑な形状となることから、黒色粒子Ｂの保持性がより向上する。
【００４０】
白色粒子Ａの粒径（平均粒径）は、特に限定されないが、黒色粒子Ｂの平均粒径の５倍以上、１００倍以下であるのが好ましく、１０倍以上、５０倍以下であるのがより好ましく、１０倍以上、３０倍以下であるのがさらに好ましい。
白色粒子Ａの粒径を上記下限値以上とすると、空間Ａ１の大きさが黒色粒子Ｂに対して充分に大きくなり、黒色粒子Ｂが空間Ａ１内を円滑に移動することができる。また、空間Ａ１内により多くの黒色粒子Ｂを収容することができ、黒色粒子Ｂの保持性をより高めることができる。
【００４１】
一方、白色粒子Ａの粒径を上記上限値以下とすることにより、白色粒子Ａが過度に大きくなることを防止でき、表示特性の低下を防止することができる。仮に、白色粒子Ａが過度に大きくなると、表示層４００に複数の白色粒子Ａを高い密度（例えば細密）で配置したとしても、隣り合う白色粒子Ａ間の隙間が大きくなるとともに、表示層４００に対する白色粒子Ａの占有率が低下する。そのため、白色粒子Ａによって黒色粒子Ｂを効果的に保持できず、黒色粒子Ｂの沈降を防止することができないおそれがある。さらには、隣り合う白色粒子Ａ間の隙間が大きくなることにより、ムラのある白色表示となるおそれがある。
【００４２】
また、白色粒子Ａに対する空間Ａ１の占有率（すなわち、白色粒子Ａの空間率）は、特に限定されないが、５０％以上、９０％以下であるのが好ましく、７０％以上、８０％以下であるのがより好ましい。空間Ａ１の占有率を上記範囲とすることにより、空間Ａ１内により多くの黒色粒子Ｂが侵入し、空間Ａ１内を移動できるため、電圧印加時の黒色粒子Ｂの移動をより円滑に行うことができる。そのため、優れた応答速度を発揮することができる。また、空間Ａ１内により多くの黒色粒子Ｂを収容することができるため、黒色粒子Ｂの沈降をより効果的に防止することができる。
【００４３】
このような白色粒子Ａとしては、特に限定されないが、セラミック多孔質体を好適に用いることができる。セラミック多孔質体としては、例えば、チタン、珪素、ニッケル等の金属粒子（粉末）を焼結させることにより形成される多孔質体が挙げられる。セラミックス多孔質体は、金属粉末の粒径を調整することにより、空孔の大きさを簡単に制御することができる点で優れている。
【００４４】
また、白色粒子Ａとして、樹脂材料で構成された多孔質体（発泡体）を用いてもよい。前記樹脂材料としては、例えば、ウレタン樹脂、尿素樹脂、エステル樹脂、エーテル樹脂、ポリエチレン、ポリプロピレン等のオレフィン樹脂、エチレン酢酸ビニル共重合体（ＥＶＡ）、エチレンメタクリル酸メチル共重合体（ＥＭＭＡ）、エチレン環状オレフィン共重合体（ＣＯＣ）等のエチレン共重合体、アクリル樹脂等の各種樹脂材料が挙げられる。
また、白色粒子Ａとして、前述したような樹脂材料で構成された多孔質体の空孔内に前述したような金属粒子を付着させてなる粒子を用いてもよい。
以上、表示装置２０の構成について詳細に説明した。
【００４５】
このような表示装置２０によれば、後述するように、第１の電極３および第２の電極４間に電界を作用させた場合には、黒色粒子Ｂが白色粒子Ａの空間Ａ１内や白色粒子Ａ間の隙間を通って第１の電極３側または第２の電極４側に泳動する。そして、このような黒色粒子Ｂの泳動を画素毎に制御することにより、表示面１２１に所望の画像を表示することができる。
【００４６】
また、表示装置２０では、従来のような「隔壁」や「マイクロカプセル」を用いていないため、表示面１２１の前記を有効表示領域として用いることができ、高い表示コントラストを発揮することができる。そのため、表示装置２０は、優れた表示特性を発揮することができる。
また、表示装置２０では、各画素内の黒色粒子Ｂの数の増減を防止または抑制することができ、表示層４００の平面視にて、表示層４００中に黒色粒子Ｂが均一に分散した状態を維持することができる。そのため、各画素の表示特性（白色、黒色の反射率）をほぼ等しく保つことができ、表示面１２１にムラのない鮮明な画像を長期にわたって表示することができる。
【００４７】
具体的には、例えば、表示装置２０が本のように立てられた場合、すなわち、表示面１２１が鉛直方向とほぼ平行となるような姿勢となった場合、黒色粒子Ｂは、その自重により鉛直方向下側へ移動しようとする。しかしながら、表示層４００中には、白色粒子Ａが高い密度で充填されているため、ほとんどの黒色粒子Ｂが白色粒子Ａに保持された状態であり、その移動が規制されている。また、白色粒子Ａに保持されていない黒色粒子Ｂ（すなわち、白色粒子Ａ間の隙間に存在する黒色粒子Ｂ）については、その移動を開始してすぐに白色粒子Ａに保持され、その移動が規制される。このように、表示装置２０では、黒色粒子Ａの表示層４００の面方向（図１中の横方向、紙面奥行き方向、これらの合成方向）への移動、言い換えれば、現在位置している画素とは異なる画素への移動が効果的に防止または抑制されている。
【００４８】
したがって、前述したように、表示装置２０では、表示層４００中に黒色粒子Ｂが均一に分散した状態を維持することができ、表示面１２１にムラのない鮮明な画像を長期にわたって表示することができる。
また、表示装置２０では、表示層４００中に白色粒子Ａが高密度で充填されているため、白色粒子Ａが表示層４００の強度を補強する補強部材としても機能する。そのため、表示装置２０は、機械的強度に優れている。また、表示装置２０を湾曲させた場合には、白色粒子Ａが表示層４００の厚さの変化（薄くなる側への変化）を抑制する機能を発揮するため、表示層４００の厚さを一定に保つことができ、表示層４００の厚さ変化により生じる表示特性を低下を防止することができる。
【００４９】
また、表示装置２０を湾曲させた場合、その変形に追従して白色粒子Ａが多少移動する（複数の白色粒子がズレ合う）ため、応力集中を防止でき、この点からも、表示装置２０は、優れた機械的強度を発揮することができる。
このような表示装置２０は、例えば、次のようにして駆動する。
電極３、４の間に電圧を印加すると、これらの間に電界が生じる。この電界に従って黒色粒子Ｂは、白色粒子Ａの空間Ａ１内を通って、電極３、４のいずれかに向かって移動（電気泳動）する。以下では、説明の便宜上、黒色粒子Ｂとして負荷電のものを用いた場合について代表して説明する。また、以下では、説明の便宜上、１つの画素について代表して説明する。
【００５０】
−白色表示状態−
第１の電極３と第２の電極４との間に、第１の電極３が正電位、第２の電極４が負電位となる電圧を印加すると、当該電圧印加により発生した電界が表示層４００中の黒色粒子Ｂに作用する。すると、黒色粒子Ｂが白色粒子Ａの空間Ａ１内を通りながら第１の電極３側に泳動し、図３（ｂ）に示すように、第１の電極３に集まる。これにより、表示面１２１に白色粒子Ａの色である白色が表示される。
ここで、表示層４００中に高密度で充填された粒子（第１の粒子）を白色粒子Ａとすることにより優れた光反射性、光散乱性を発揮することができ、より反射率の高い、明るい白色を表示することができる。
【００５１】
また、表示面１２１付近には、複数の白色粒子Ａの表面で形成された不規則な凹凸が存在しているため、表示面１２１に表示される白色が、コピー用紙等の紙材のような光沢感の少ない感じ（紙と類似するつや消し感）となる。そのため、使用者に紙のような感覚を持たせることができ、違和感なく使用してもらうことができる。このような構成は、特に電子ペーパーを構築する際に有利となる。
【００５２】
−黒色表示状態−
第１の電極３と第２の電極４との間に、第１の電極３が負電位、第２の電極４が正電位となる電圧を印加すると、当該電圧印加により発生した電界が表示層４００中の黒色粒子Ｂに作用する。すると、黒色粒子Ｂが白色粒子Ａの空間Ａ１内を通りながら第２の電極４側に泳動し、図３（ａ）に示すように、第２の電極４に集まる。これにより、表示面１２１に黒色粒子Ｂの色である黒色が表示される。
【００５３】
なお、この状態で表示装置２０を立てた場合、黒色粒子Ｂのうち第２の電極４と接触している粒子および第２の電極４の近傍に位置している粒子については、第２の電極４との吸着力によってその位置を維持することができる。また、前記吸着力が仮に弱かったとしても、これら粒子は、分散媒７中にて不規則かつ微少に運動（ブラウン運動）しているため、巨視的に見て、その位置を維持することができる。前述した白色表示状態についても同様である。
【００５４】
このような表示装置２０では、画素毎に、白色表示状態か黒色表示状態を選択することにより、すなわち、白色表示状態の画素と黒色表示状態の画素とを組み合わせることにより、表示面１２１に所望の画像を表示することができる。なお、前述したように、黒色粒子Ｂは、白色粒子Ａの被覆層Ａ２に保持されているため、電圧印加を停止した場合も、表示装置２０を立てた場合にも、黒色粒子Ｂの沈降が防止され、所望の画像を維持することができる。
【００５５】
＜第２実施形態＞
図４は、本発明の表示装置の第２実施形態を示す断面図、図５は、図４に示す表示装置の駆動を説明する断面図である。
以下、第２実施形態について、前述した実施形態との相違点を中心に説明し、同様の事項については、その説明を省略する。
【００５６】
本発明の第２実施形態にかかる表示装置は、表示層中に充填されている分散液の構成が異なること以外は、第１実施形態の表示装置と同様である。なお、前述した第１実施形態と同様の構成には、同一符号を付してある。
図４に示すように、本実施形態の表示装置２０の分散液１００’は、複数の第１の粒子Ａと、正または負に帯電した複数の第２の粒子Ｂと、黒色粒子Ｂと反対の極に帯電する複数の第３の粒子Ｃとを分散媒７に分散させたものである。このような分散液１００’を用いることにより、後述するように、表示面１２１により多くの色を表示することができる。
【００５７】
第１の粒子Ａ、第２の粒子Ｂ、第３の粒子Ｃの色相は、互いに異なっていれば、特に限定されず、有彩色、無彩色、金属色等の中から目的に合わせて自由に選択すればよい。なお、以下では、第１の粒子Ａを白色、第２の粒子Ｂを黒色、第３の粒子Ｃを赤色とし、カラー画像を表示することができる構成について代表して説明する。また、以下では、説明の便宜上、第１の粒子Ａを「白色粒子Ａ」と言い、第２の粒子Ｂを「黒色粒子Ｂ」と言い、第３の粒子Ｃを「赤色粒子Ｃ」と言う。
【００５８】
赤色粒子Ｃの平均粒径としては、特に限定されなないが、黒色粒子Ｂの平均粒径とほぼ同じであることが好ましい。これにより、白色粒子Ａによって黒色粒子Ｂに加えて赤色粒子Ｃを保持することができる。そのため、赤色粒子Ｃについても、その沈降を防止または抑制することができる。
このような表示装置２０は、例えば、次のようにして駆動する。
以下では、説明の便宜上、黒色粒子Ｂとして負荷電のものを用い、赤色粒子Ｃとして正電荷のものを用いた場合について代表して説明する。また、以下では、説明の便宜上、１つの画素について代表して説明する。
【００５９】
−黒色表示状態−
第１の電極３と第２の電極４との間に、第１の電極３が負電位、第２の電極４が正電位となる電圧を印加すると、当該電圧印加により発生した電界が表示層４００中の黒色粒子Ｂおよび赤色粒子Ｃに作用する。すると、黒色粒子Ｂが白色粒子Ａの空間Ａ１内を通りながら第２の電極４側に泳動し、第２の電極４に集まるとともに、赤色粒子Ｃが白色粒子Ａの空間Ａ１内を通りながら第１の電極３側に泳動し、第１の電極３に集まる。これにより、図５（ａ）に示すように、表示面１２１に黒色粒子Ｂの色である黒色が表示される。
【００６０】
−赤色表示状態−
第１の電極３と第２の電極４との間に、第１の電極３が正電位、第２の電極４が負電位となる電圧を印加すると、当該電圧印加により発生した電界が表示層４００中の黒色粒子Ｂおよび赤色粒子Ｃに作用する。すると、黒色粒子Ｂが白色粒子Ａの空間Ａ１内を通りながら第１の電極３側に泳動し、第１の電極３に集まるとともに、赤色粒子Ｃが白色粒子Ａの空間Ａ１内を通りながら第２の電極４側に泳動し、第２の電極４に集まる。これにより、図５（ｂ）に示すように、表示面１２１に赤色粒子Ｃの色である赤色が表示される。
【００６１】
−白色表示状態−
例えば、黒色表示状態とした後、第１の電極３と第２の電極４との間に、第１の電極３が正電位、第２の電極４が負電位となる電圧を印加すると、当該電圧印加により発生した電界が表示層４００中の黒色粒子Ｂおよび赤色粒子Ｃに作用する。すると、黒色粒子Ｂが白色粒子Ａの空間Ａ１内を通りながら第１の電極３側に泳動するとともに、赤色粒子Ｃが白色粒子Ａの空間Ａ１内を通りながら第２の電極４側に泳動する。そして、黒色粒子Ｂおよび赤色粒子Ｃがともに表示層４００の厚さ方向中央部に位置した状態で電圧印加を停止する。これにより、図５（ｃ）に示すように、表示面１２１に白色粒子Ａの色である白色が表示される。
【００６２】
なお、より確実に白色表示状態とするために、黒色粒子Ｂと赤色粒子Ｃの泳動速度をほぼ等しく設定することが好ましい。これにより、黒色粒子Ｂと赤色粒子Ｃとがともに表示層４００の厚さ方向中央部に位置する状態を簡単に作り出すことができる。また、黒色表示状態から白色表示状態への切り替えと同様にして、赤色表示状態からも簡単に白色表示状態に切り替えることができる。
【００６３】
＜第３実施形態＞
図６は、本発明の表示装置の第３実施形態を示す概略斜視図、図７は、図６に示す表示シートの断面図である。
以下、第３実施形態について、前述した実施形態との相違点を中心に説明し、同様の事項については、その説明を省略する。
【００６４】
本発明の第３実施形態にかかる表示装置は、表示シートが別体として構成されている以外は、前記第１実施形態と同様である。
図６に示すように、本実施形態の表示装置２０Ｅは、表示シート２１Ｅと、書き込み装置２２Ｅとを有している。
表示シート２１Ｅは、図７に示すように、基板（第１の基板）１２Ｅと、基板１２Ｅと対向配置された基板（第２の基板）１１Ｅと、基板１２Ｅ、１１Ｅの間に設けられた表示層４００と、表示層４００を封止する封止部９と、表示層４００に充填された分散液１００とを有している。基板１２Ｅ、１１Ｅは、それぞれ、前述した第１実施形態の基板１２の基部２と同様の構成であるため、その説明は省略する。
【００６５】
書き込み装置２２Ｅは、表示シート２１Ｅに所望の画像（模様、色彩、文字、絵またはこれらの組み合わせ等）を書き込む際に使用する装置である。図６に示すように、書き込み装置２２Ｅは、台座２２１Ｅと、台座２２１Ｅ上に設けられたシート状の共通電極２２２Ｅと、先端に部分電極２２３Ｅが設けられた書き込みペン（入力具）２２４Ｅと、共通電極２２２Ｅおよび部分電極２２３Ｅ間に電圧を印加する電圧印加手段２２５Ｅとを有している。
このような表示装置２０Ｅは、例えば、次のように使用する。
【００６６】
まず、表示面１２１の全域が白色表示状態である表示シート２１Ｅを、表示面１２１を上側にして書き込み装置２２Ｅの共通電極２２２Ｅ上に載置する。次いで、電圧印加手段２２５Ｅによって共通電極２２２Ｅおよび部分電極２２３Ｅ間に、部分電極２２３Ｅ側が低電位となる電圧を印加する。この状態で、書き込みペン２２４Ｅを表示面１２１に接触させつつ所望の軌跡で移動させることにより、その軌跡に対応する領域にて粒子の泳動が生じ、表示色が白色から黒色に変化する。
このような表示装置２０Ｅによれば、紙に鉛筆で文字等を描くのと同様の感覚で、表示シート２１Ｅの表示面１２１に所望の文字等を描くことができる。そのため、表示装置２０Ｅの操作性（操作感覚）が向上する。
【００６７】
以上説明したような表示装置２０は、それぞれ、各種電子機器に組み込むことができる。電気泳動表示装置を備える本発明の電子機器としては、例えば、電子ペーパー、電子ブック、テレビ、ビューファインダ型、モニタ直視型のビデオテープレコーダ、カーナビゲーション装置、ページャ、電子手帳、電卓、電子新聞、ワードプロセッサ、パーソナルコンピュータ、ワークステーション、テレビ電話、ＰＯＳ端末、タッチパネルを備えた機器等を挙げることができる。
【００６８】
これらの電子機器のうちから、電子ペーパーを例に挙げ、具体的に説明する。
図８は、本発明の電子機器を電子ペーパーに適用した場合の実施形態を示す斜視図である。
図８に示す電子ペーパー６００は、紙と同様の質感および柔軟性を有するリライタブルシートで構成される本体６０１と、表示ユニット６０２とを備えている。このような電子ペーパー６００では、表示ユニット６０２が、前述したような表示装置２０で構成されている。
【００６９】
次に、本発明の電子機器をディスプレイに適用した場合の実施形態について説明する。
図９は、本発明の電子機器をディスプレイに適用した場合の実施形態を示す図である。このうち、図９中（ａ）は断面図、（ｂ）は平面図である。
図９に示すディスプレイ（表示装置）８００は、本体部８０１と、この本体部８０１に対して着脱自在に設けられた電子ペーパー６００とを備えている。なお、この電子ペーパー６００は、前述したような構成、すなわち、図８に示す構成と同様である。
【００７０】
本体部８０１は、その側部（図９（ａ）中、右側）に電子ペーパー６００を挿入可能な挿入口８０５が形成され、また、内部に二組の搬送ローラ対８０２ａ、８０２ｂが設けられている。電子ペーパー６００を、挿入口８０５を介して本体部８０１内に挿入すると、電子ペーパー６００は、搬送ローラ対８０２ａ、８０２ｂにより挟持された状態で本体部８０１に設置される。
【００７１】
また、本体部８０１の表示面側（図９（ｂ）中、紙面手前側）には、矩形状の孔部８０３が形成され、この孔部８０３には、透明ガラス板８０４が嵌め込まれている。これにより、本体部８０１の外部から、本体部８０１に設置された状態の電子ペーパー６００を視認することができる。すなわち、このディスプレイ８００では、本体部８０１に設置された状態の電子ペーパー６００を、透明ガラス板８０４において視認させることで表示面を構成している。
【００７２】
また、電子ペーパー６００の挿入方向先端部（図９（ａ）中、左側）には、端子部８０６が設けられており、本体部８０１の内部には、電子ペーパー６００を本体部８０１に設置した状態で端子部８０６が接続されるソケット８０７が設けられている。このソケット８０７には、コントローラー８０８と操作部８０９とが電気的に接続されている。
このようなディスプレイ８００では、電子ペーパー６００は、本体部８０１に着脱自在に設置されており、本体部８０１から取り外した状態で携帯して使用することもできる。これにより、利便性が向上する。
以上、本発明の表示シート、表示装置および電子機器を、図示の実施形態に基づいて説明したが、本発明はこれに限定されるものではなく、各部の構成は、同様の機能を有する任意の構成のものに置換することができる。また、本発明に、他の任意の構成物が付加されていてもよい。また、各実施形態を適宜組み合わせてもよい。
【実施例】
【００７３】
次に、本発明の具体的な実施例について説明する。しかしながら、本発明は、これらの実施例に限定されるものではない。
１．表示装置の製造
（実施例１）
＜１＞  まず、黒色粒子としてチタンブラック粒子を用意するとともに、白色粒子としてチタン粉末を焼成して形成した酸化チタン粒子を用意した。
【００７４】
黒色粒子の平均粒径は、５０ｎｍであった。なお、黒色粒子には、負に帯電するよう表面にグラフト修飾を施した。
また、白色粒子の平均粒径は、１０００ｎｍであった。すなわち、黒色粒子の平均粒径の２０倍であった。また、白色粒子の空間率（平均値）は、７６％であった。
そして、これらの粒子をジメチルシリコーンオイル（分散媒）中に分散して、分散液を調製した。
【００７５】
＜２＞次いで、ＩＴＯで構成される電極（第２の電極）が形成されたＰＥＴ−ＩＴＯ基板を用意した。次いで、ＰＥＴ−ＩＴＯ基板の縁部（外周部）にエポキシ系接着剤からなる封止部を形成した。
次いで、ＰＥＴ−ＩＴＯ基板と封止部とで形成された凹部内に分散液を供給して凹部を分散液で満たした。この際、これにより表示層を得た。次いで、表示層上にＩＴＯよりなる個別電極が形成された回路基板を配置し、その後、ロールラミネータを用いて封止部と接合することにより表示装置を得た。得られた表示装置の表示層の厚さは、５０μｍであった。
また、表示層中の白色粒子の占有率は、６５％であった。なお、占有率は、後述する測定をすべて終えた後、表示層中の白色粒子を全て取り出し、これらの体積（空間を含む体積）の総和を求め、求められた体積の総和と、表示層４００の体積とを比較することにより算出した。
【００７６】
（実施例２）
表示層中の白色粒子の占有率を５５％とした以外は、実施例１と同様にして実施例２の表示装置を得た。
（実施例３）
表示層中の白色粒子の占有率を７５％とした以外は、実施例１と同様にして実施例３の表示装置を得た。
【００７７】
（実施例４）
白色粒子の平均粒径を２０００ｎｍとした以外は、実施例１と同様にして実施例４の表示装置を得た。すなわち、得られた表示シートは、白色粒子の平均粒径が黒色粒子の平均粒径の４０倍であった。また、表示層中の白色粒子の占有率は、６０％であった。
（実施例５）
白色粒子の平均粒径を３５０ｎｍとした以外は、実施例１と同様にして実施例５の表示装置を得た。すなわち、得られた表示シートは、白色粒子の平均粒径が黒色粒子の平均粒径の７倍であった。また、表示層中の白色粒子の占有率は、６８％であった。
【００７８】
（実施例６）
白色粒子の平均粒径を４５００ｎｍとした以外は、実施例１と同様にして実施例６の表示装置を得た。すなわち、得られた表示シートは、白色粒子の平均粒径が黒色粒子の平均粒径の９０倍であった。また、表示層中の白色粒子の占有率は、６３％であった。
（実施例７）
白色粒子の平均粒径を２００ｎｍとした以外は、実施例１と同様にして実施例７の表示装置を得た。すなわち、得られた表示シートは、白色粒子の平均粒径が黒色粒子の平均粒径の４倍であった。また、表示層中の白色粒子の占有率は、６７％であった。
【００７９】
（実施例８）
白色粒子の平均粒径を５５００ｎｍとした以外は、実施例１と同様にして実施例７の表示装置を得た。すなわち、得られた表示シートは、白色粒子の平均粒径が黒色粒子の平均粒径の１１０倍であった。また、表示層中の白色粒子の占有率は、６１％であった。
（実施例９）
白色粒子の空間率を５５％とした以外は、実施例１と同様にして実施例９の表示装置を得た。
（実施例１０）
白色粒子の空間率を８８％とした以外は、実施例１と同様にして実施例１０の表示装置を得た。
【００８０】
（比較例１）
表示層中の白色粒子の占有率を４５％とした以外は、実施例１と同様にして比較例１の表示装置を得た。
（比較例２）
表示層中の白色粒子の占有率を９５％とした以外は、実施例１と同様にして比較例２の表示装置を得た。
【００８１】
２．評価
（２−１）黒色の反射率の変化
＜１＞まず、実施例１〜１０および比較例１、２について、それぞれ、黒色粒子が表示層中にほぼ均一に分散している状態から表示面の全域を黒色表示状態とし、このときの黒色の反射率Ａを測定した。なお、反射率Ａの測定は、黒色表示状態への切り替えが完了した３秒後に、任意に定めた異なる２つの領域（領域１および領域２）にて行った。今回の測定では、図１０に示すように、表示面の左縁部に領域１を設定し、右縁部に領域２を設定した。
【００８２】
＜２＞次に、実施例１〜１０および比較例１、２について、それぞれ、黒色粒子が表示層中にほぼ均一に分散している状態から、表示面が鉛直方向と平行となり、かつ領域１が鉛直方向上側、領域２が鉛直方向下側に位置するように傾け、その状態で１０分間放置した。そして、１０間放置した後、表示面の全域を黒色表示状態とし、このときの領域１、２の黒色の反射率Ｂを測定した。
なお、各表示装置の黒色の反射率Ａ、Ｂは、基準となる白色（標準試料）の反射量を１００としたときの、表示装置の表示色の反射量の割合を示すものである。また、反射率Ａ、Ｂの測定は、色彩輝度計（トプコン社製、「ＢＭ−５Ａ」）を用いて行った。
以上のようにして得られた実施例１〜１０および比較例１、２における反射率Ａ、Ｂを表１に示す。なお、表１中の（）内の数値は、反射率Ａとの差を示している。
【００８３】
【表１】
2012226012.tif 000003
【００８４】
表１に示すように、実施例１〜１０の表示装置で測定された反射率Ａ、Ｂは、ほとんど差のない値であった。これにより、白色粒子によって黒色粒子の沈降が防止されていることが確認された。また、各実施例１〜１０の表示装置で測定された反射率Ａ、Ｂは、充分に低い値であり、優れた表示コントラストを発揮できることが確認された。
これに対して、比較例１、２の表示装置で測定された反射率Ａ、Ｂには、大きな差が発生していた。具体的には、領域２では、反射率Ａ、Ｂの変化は少なかったものの、領域１では、反射率Ａに対して反射率Ｂが大きく上昇していた。これは、黒色粒子の沈降によって、領域１の黒色粒子が減少した結果である。したがって、比較例１、２の表示装置では、黒色粒子の沈降を防止することができないことが確認された。
【００８５】
（２−２）白色の反射率の変化
黒色の反射率の測定と同様にして、白色の反射率を測定した。
＜１＞まず、実施例１〜３および比較例１について、それぞれ、白色粒子が表示層中にほぼ均一に配置されている状態から表示面の全域を白色表示状態とし、このときの白色の反射率Ｃを測定した。なお、反射率Ｃの測定は、白色表示状態への切り替えが完了した３秒後に、任意に定めた異なる２つの領域（領域１および領域２）にて行った。今回の測定では、図１０に示すように、表示面の左縁部に領域１を設定し、右縁部に領域２を設定した。
【００８６】
＜２＞次に、実施例１〜３および比較例１について、それぞれ、白色粒子が表示層中にほぼ均一に配置されている状態から、表示面が鉛直方向と平行となり、かつ領域１が鉛直方向上側、領域２が鉛直方向下側に位置するように傾け、その状態で１０分間放置した。そして、１０間放置した後、表示面の全域を白色表示状態とし、このときの領域１、２の白色の反射率Ｄを測定した。
以上のようにして得られた実施例１〜３および比較例１における反射率Ｃ、Ｄを表２に示す。なお、表２中の（）内の数値は、反射率Ｃとの差を示している。
【００８７】
【表２】
2012226012.tif 000004
【００８８】
表２に示すように、実施例１〜３の表示装置で測定された反射率Ｃ、Ｄは、ほとんど差のない値であった。これにより、白色粒子の沈降が防止されていることが確認された。また、実施例１〜３の表示装置で測定された反射率Ｃ、Ｄは、充分に高い値であり、優れた表示コントラストを発揮できることが確認された。
これに対して、比較例１の表示装置で測定された反射率Ｃ、Ｄには、大きな差が発生していた。具体的には、領域２では、反射率Ｃ、Ｄの変化は少なかったものの、領域１では、反射率Ｃに対して反射率Ｄが大きく低下していた。これは、白色粒子が沈降し、領域１の白色粒子が減少した結果である。
【符号の説明】
【００８９】
１‥‥基部  ２‥‥基部  ３‥‥第１の電極  ４‥‥第２の電極  ７‥‥分散媒  ９‥‥封止部  １００‥‥分散液  １１、１１Ｅ‥‥対向基板  １２、１２Ｅ‥‥基板  １２１‥‥表示面  ２０、２０Ｅ‥‥表示装置  ２１、２１Ｅ‥‥表示シート  ２２‥‥回路基板  ２２Ｅ‥‥書き込み装置  ２２１Ｅ‥‥台座  ２２２Ｅ‥‥共通電極  ２２３Ｅ‥‥部分電極  ２２４Ｅ‥‥書き込みペン  ２２５Ｅ‥‥電圧印加手段  ４００‥‥表示層  ６００‥‥電子ペーパー  ６０１‥‥本体  ６０２‥‥表示ユニット  ８００‥‥ディスプレイ  ８０１‥‥本体部  ８０２ａ、８０２ｂ‥‥搬送ローラ対  ８０３‥‥孔部  ８０４‥‥透明ガラス板  ８０５‥‥挿入口  ８０６‥‥端子部  ８０７‥‥ソケット  ８０８‥‥コントローラー  ８０９‥‥操作部  Ａ‥‥第１の粒子（白色粒子）  Ａ１‥‥空間  Ａ２‥‥被覆層  Ｂ‥‥第２の粒子（黒色粒子）  Ｃ‥‥第３の粒子（赤色粒子）
【図１】
2012226012.tif 000005
【図２】
2012226012.tif 000006
【図３】
2012226012.tif 000007
【図４】
2012226012.tif 000008
【図５】
2012226012.tif 000009
【図６】
2012226012.tif 000010
【図７】
2012226012.tif 000011
【図８】
2012226012.tif 000012
【図９】
2012226012.tif 000013
【図１０】
2012226012.tif 000014